(57)【要約】【課題】施工現場において、台座の巾木に対する位置決めを容易に行うことができるとともに、スポット溶接が不要なガイドローラを提供すること。【解決手段】軸部１１と、軸部１１の先端に回動自在に配設したローラ部１２と、軸部１１を取り付ける台座１３とからなり、台座１３を巾木３０に固定して引戸扉４の走行をガイドするガイドローラ１０において、台座１３に、巾木３０の端面に当接する当接部１３ｄを形成する。【選択図】図１
2008082008.tif 000002
【特許請求の範囲】
【請求項１】
軸部と、該軸部の先端に回動自在に配設したローラ部と、軸部を取り付けた台座とからなり、前記台座を巾木に固定して引戸扉の走行をガイドするガイドローラにおいて、前記台座に、巾木の端面に当接する当接部を形成したことを特徴とするガイドローラ。
【請求項２】
台座を取り付ける巾木の端面に、台座の当接部が嵌入される切欠部を設けたことを特徴とする請求項１記載のガイドローラ。
【請求項３】
巾木側面から台座をネジ止めするようにしたことを特徴とする請求項１又は２記載のガイドローラ。
【発明の詳細な説明】
【技術分野】
【０００１】
本発明は、ガイドローラに関し、特に、吊り戸式引戸扉の走行をガイドするためのガイドローラに関するものである。
【背景技術】
【０００２】
従来、吊り戸式引戸扉においては、引戸枠部材の上部に配設した走行用レールに、引戸扉上部に配設した戸車を載置し、引戸扉の下部は床面と一定の隙間をあけ、戸袋入口の巾木に引戸扉の揺れを防止し、その走行をガイドするためのガイドローラを配設するようにしている。
【０００３】
そして、この引戸扉４を使用する引戸装置１は、図６に示すように、走行用レール５を閉じ側に向けて下り傾斜して取り付け、引戸扉４が、その自重や適宜手段によって、閉じ方向に付勢されるようにしている。
【０００４】
引戸扉４は、断面コ字状の下骨４２と、上骨４３及び両竪骨４４、４４で枠組みし、枠内に芯材４１を入れ、表面に化粧板４５を貼り付けて構成するようにしている。
ガイドローラ８０は、図７〜図８に示すように、軸部８１の先端に、摺動性の良好な樹脂等からなるローラ部８２が装着され、戸袋３の下枠となる巾木３０の戸袋入口付近に、台座８３を介して配設される。
【０００５】
台座８３は、図９に示すように、軸部８１を取り付ける取付部８３ａと、底板８３ｂ、８３ｂと、巾木３０の内側面に沿うように形成した鍔部８３ｃ、８３ｃとからなり、取付部８３ａは、底板８３ｂ、８３ｂよりも突出するように構成されている。
通常、台座８３は、板材に曲げ加工と切断加工とを施すことによって製作されている。
【０００６】
そして、引戸扉４の下面の開口部となる鋼製又はアルミ部材からなる断面コ字状の下骨４２内にローラ部８２が位置するように引戸扉４を走行用レール５に載置し、引戸扉４が走行方向に対して直角方向に大きく移動することがないように引戸扉４をガイドするようにしている。
【０００７】
この場合において、ガイドローラ８０の取り付けは、施工現場において、台座８３を巾木３０に対して適切な位置となるように位置決めし、図８（ｂ）に示すように、複数箇所（図例では４カ所）の溶接箇所ＳＰをスポット溶接するようにしている。このため専用のスポット溶接機を施工現場に搬入する必要があった。
また、巾木３０に取り付けるガイドローラ８０の台座８３は、取り付け後、スポット溶接によって台座８３の溶接箇所ＳＰに対して塗装補修が必要となり、手数を要するという問題があった。
【発明の開示】
【発明が解決しようとする課題】
【０００８】
本発明は、上記従来の引戸装置の有する問題点に鑑み、施工現場において、台座の巾木に対する位置決めを容易に行うことができるとともに、スポット溶接が不要なガイドローラを提供することを目的とする。
【課題を解決するための手段】
【０００９】
上記目的を達成するため、本発明のガイドローラは、軸部と、該軸部の先端に回動自在に配設したローラ部と、軸部を取り付けた台座とからなり、前記台座を巾木に固定して引戸扉の走行をガイドするガイドローラにおいて、前記台座に、巾木の端面に当接する当接部を形成したことを特徴とする。
【００１０】
この場合において、台座を取り付ける巾木の端面に、台座の当接部が嵌入される切欠部を設けることができる。
【００１１】
また、巾木側面から台座をネジ止めするようにすることができる。
【発明の効果】
【００１２】
本発明のガイドローラによれば、ガイドローラの台座に、巾木の端面に当接する当接部を形成することにより、台座の巾木に対する位置出しが簡単に行えるとともに、スポット溶接が不要なガイドローラを提供することができる。
【００１３】
また、台座を取り付ける巾木の端面に、前記台座の当接部が嵌入される切欠部を設けることにより、当接部が切欠部内に嵌入し、切欠部の高さ寸法と当接部の厚み寸法とをほぼ等しくすることによって、台座を巾木に強固に固定することができる。
【００１４】
また、巾木側面から台座をネジ止めすることにより、さらに台座の巾木に対する取り付けを強固なものとすることができる。
【発明を実施するための最良の形態】
【００１５】
以下、本発明のガイドローラの実施の形態を図面に基づいて説明する。なお、従来例と同様の構造については同一の符号、一連の符号を付し説明を省略する。
【実施例１】
【００１６】
図１〜図４に、本発明のガイドローラの第１実施例を示す。
このガイドローラ１０は、引戸装置１に使用する引戸扉４の走行をガイドするもので、軸部１１と、軸部１１の先端に回動自在に配設したローラ部１２と、軸部１１を取り付ける台座１３とからなり、台座１３を戸袋３の下枠となる巾木３０に固定して引戸扉４の走行をガイドするものである。
【００１７】
ガイドローラ１０の台座１３は、例えば、図４に示すように、軸部１１を取り付ける取付部１３ａと、底板１３ｂ、１３ｂと、巾木３０の内側面に沿うように形成した鍔部１３ｃ、１３ｃとを備え、取付部１３ａは、底板１３ｂ、１３ｂよりも突出するように構成され、従来例と同様に、通常、板材を曲げ加工と切断加工とによって製作されている。
そして、この台座１３は、底板１３ｂ、１３ｂの取付部１３ａ側に巾木３０の端面に当接する当接部１３ｄを形成するようにしている。
当接部１３ｄは、図に示すように、鍔部１３ｃ、１３ｃよりも外側に突出するように形成され、巾木３０の端面に当接することによってガイドローラ１０の巾木３０に対する位置決めを容易に行うことができるようにしている。
【００１８】
この場合、好ましくは、巾木３０の端面には、台座１３の当接部１３ｄが嵌入される切欠部３１を設けるようにする。
【００１９】
この切欠部３１は、奥行きは、当接部１３ｄが当接したときにローラ部１２が所望の位置に設置されるようになるように切り欠き、その高さは、巾木３０の底板部から、台座１３の当接部１３ｄ（底板１３ｂ）の厚み分と略同寸法となる位置又はそれ以上まで切り欠くようにしている。
【００２０】
切欠部３１に当接部１３ｄが嵌入されるとき、巾木３０の底板部からの高さを当接部１３ｄ（底板１３ｂ）の厚み分と略同寸法とすることにより、切欠部３１に当接部１３ｄが嵌入されることによって、台座１３を巾木３０に強固に固定することができる。
【００２１】
また、ガイドローラ１０を巾木３０に取り付けた後に、巾木３０の側面からネジ止めすることもできる。これによって、台座１３を巾木３０により強固に固定することができる。
【００２２】
ネジ止めの種類は、特に限定されず、図３に示すようにビス９を用いて螺合するほか、ボルト・ナットを用いて固定してもよい。
この際、ネジ止め用の下穴は、施工現場でドリル加工するほか、台座１３の鍔部１３ｃ側にタッピング加工を施し、巾木３０側に長穴加工を施して現場ではネジ止めを行うだけで固定を完了するようにすることもできる。
【００２３】
上記構成において、施工現場で巾木３０の端部にガイドローラ１０を取り付け、引戸枠部材２として、適宜箇所のアンカー等に溶接固定する。
この場合、ガイドローラ１０のローラ部１２を回動自在に配設した軸部１１を取り付ける台座１３には、巾木３０の端面に当接する当接部１３ｄを形成し、巾木３０の端面には、台座１３の当接部１３ｄが嵌入される切欠部３１を設けているから、ガイドローラ１０の巾木３０に対する位置決めを容易に行うことができる。
【００２４】
そして、切欠部３１の高さ寸法と当接部１３ｄの厚み寸法とをほぼ等しくすることによって、台座１３を巾木３０に強固に固定することができる。
【００２５】
また、巾木３０の側面から台座１３をネジ止めするときは、台座１３の巾木３０に対する取り付けをさらに強固なものとすることができる。
【実施例２】
【００２６】
図５に、本発明のガイドローラの第２実施例を示す。
このガイドローラ１０は、台座１３の形状以外は実施例１と同様でありその説明を省略する。
【００２７】
この台座１３は、図５（ａ）、（ｂ）に示すように、当接部として、底板１３ｂ、１３ｂの取付部１３ａ側の端部を略１８０度折り曲げて、巾木３０の端面に引っ掛かる引掛部１３ｅを形成するようにしている。
【００２８】
この引掛部１３ｅは、図５（ｃ）に示すように、曲げた先端を拡開させて台座１３の取り付け前は、二点鎖線で示す位置となるように形成し、取り付け時に実線の位置となるように構成する。これにより、台座１３を巾木３０に強固に固定することができる。
【００２９】
以上、本発明のガイドローラについて、その実施例に基づいて説明したが、本発明は上記実施例に記載した構成に限定されるものではなく、その趣旨を逸脱しない範囲において適宜その構成を変更することができるものである。
【産業上の利用可能性】
【００３０】
本発明のガイドローラは、台座の巾木に対する位置決めを容易に行うことができるとともに、スポット溶接が不要なことから、通常の施工現場で用いることができるほか、熟練者の少ない施工現場でも好適に用いることができる。
【図面の簡単な説明】
【００３１】
【図１】本発明のガイドローラを使用する引戸装置を示す一部断面の正面図である。
【図２】図１のＸ−Ｘ断面図である。
【図３】本発明のガイドローラの第１実施例を示す説明図で、（ａ）は一部切り欠きの正面図、（ｂ）は一部切り欠きの平面図、（ｃ）は当接部を説明する一部切り欠きの側面図である。
【図４】台座の構造を説明する斜視図である。
【図５】本発明のガイドローラの第２実施例を示す説明図で、（ａ）は一部切り欠きの正面図、（ｂ）は一部切り欠きの平面図、（ｃ）は当接部を説明する一部切り欠きの正面図である。
【図６】従来のガイドローラを使用する引戸装置を示す一部断面の正面図である。
【図７】図６のＹ−Ｙ断面図である。
【図８】従来のガイドローラを示す説明図で、（ａ）は一部切り欠きの正面図、（ｂ）は一部切り欠きの平面図である。
【図９】従来のガイドローラの台座の構造を説明する斜視図である。
【符号の説明】
【００３２】
１０    ガイドローラ
１１    軸部
１２    ローラ部
１３    台座
１３ｄ  当接部
３０    巾木
３１    切欠部
９      ネジ
【図１】
2008082008.tif 000003
【図２】
2008082008.tif 000004
【図３】
2008082008.tif 000005
【図４】
2008082008.tif 000006
【図５】
2008082008.tif 000007
【図６】
2008082008.tif 000008
【図７】
2008082008.tif 000009
【図８】
2008082008.tif 000010
【図９】
2008082008.tif 000011